(57)【要約】【課題】  分割表示されている監視画面を簡単な操作で拡大表示できるようにする。【解決手段】  所定の監視領域を撮像装置で撮像し、その撮像した映像を表示画面に表示して監視する監視装置において、前記表示画面を所定時間以内に複数回タッチしたとき、又はその表示画面をポインティングデバイスで所定時間以内に複数回ポインティングしたときに、その表示画面の表示内容を拡大して表示する表示制御手段を有することを特徴としている。【選択図】      図２
2005339224.tif 000002
【特許請求の範囲】
【請求項１】
所定の監視領域を撮像装置で撮像し、その撮像した映像を表示画面に表示して監視する監視装置において、
前記表示画面を所定時間以内に複数回タッチしたとき、又はその表示画面をポインティングデバイスで所定時間以内に複数回ポインティングしたときに、その表示画面の表示内容を拡大して表示する表示制御手段を有することを特徴とする監視装置。
【請求項２】
請求項１に記載の監視装置において、撮像装置は複数個設けられるとともに、表示画面の表示はその複数個に対応して複数個に分割して行われ、タッチ又はポインティングは、その分割された表示画面に対して行われることを特徴とする監視装置。
【請求項３】
請求項１又は２に記載の監視装置において、拡大表示された表示内容は、表示画面に表示された所定の縮小釦をタッチ又は所定の縮小を選択するアイコンがポインティングされたときに元の大きさに復帰されることを特徴とする監視装置。
【請求項４】
請求項１又は２に記載の監視装置において、拡大表示された表示内容は、再度、タッチ又はポインティングされたときに元の大きさに復帰されることを特徴とする監視装置。
【請求項５】
請求項１〜３のいずれかに記載の監視装置において、所定の監視領域は、自動券売機や自動改札機等の駅務機器の設置されている領域であることを特徴とする監視装置。
【発明の詳細な説明】
【技術分野】
【０００１】
本発明は監視装置に係り、特に、駅に設置される自動券売機や自動改札機等の駅務機器を効率よく監視できるようにしたものに関する。
【背景技術】
【０００２】
従来、無人駅や駅係員が直接監視できない場所に設置されている自動券売機や自動改札機等の駅務機器は、防犯や接客サービス向上等のために、ビデオカメラで撮像されて駅事務室等の所定の場所に設置されている表示装置の表示画面に表示されて監視できるように構成されている。
【０００３】
上述の駅務機器を監視する監視装置は、一人の係員が多くの場所を監視できるように、表示装置の表示画面は複数に分割（区分）されていて、各分割されている画面に各場所に設置されている駅務機器の映像が表示できるように構成されている。
【０００４】
上記監視装置がアナログ方式の撮像装置と表示装置とからなる場合、各監視場所に設置されている撮像装置からの映像は、表示画面分割ユニットを介して表示装置に入力され、分割された表示画面に各監視場所の駅務機器の映像が表示できるように構成されている。また、近年、主流になりつつあるデジタル方式の監視装置は、上述のアナログ方式の監視装置のような表示画面分割ユニットを必要としないが、ＣＰＵを中心に形成されている制御装置においてデジタル化された映像データを所定のソフトウエアを用いて処理して、分割された表示画面に各監視場所に設置されている駅務機器の映像を表示できるように構成されている。
【０００５】
上記アナログ方式及びデジタル方式のいずれの監視装置においても、分割表示された映像は、必要に応じて拡大表示できるように構成されている。アナログ方式の監視装置の拡大表示は、スイッチャーの操作により撮像装置を選択して拡大表示し、さらに必要に応じて撮像装置（カメラ）を移動し、最後に再び縮小することが行われている。また、デジタル方式の監視装置の拡大表示は、上述のアナログ方式のスイッチャーの制御をソフトウエアで実現している。すなわち、このデジタル方式の監視装置においては、タッチパネルからなる表示画面をタッチして、あるいはマウス等からなる入力デバイスを用いた操作により拡大表示、移動及び縮小表示の操作が行われるように構成されている（特許文献１，２参照）。
【特許文献１】特開平５−１８１６３６号公報
【特許文献２】特開平５−２４１５０６号公報
【発明の開示】
【発明が解決しようとする課題】
【０００６】
しかしながら、上記従来の監視装置は、拡大表示やその拡大された表示を元に戻すための操作は、スイッチャーを操作して、あるいはマウス等の入力デバイス等を用いて行われなければならず、操作に熟練を必要とする欠点があった。
【０００７】
上述のような欠点を除去するために、監視装置をデジタル方式にするとともに、操作を容易にするために、タッチパネルから表示画面に操作釦を大きく表示するようにすることも考えられるが、操作釦が大きくなると、その分だけ監視画面が侵食されるという新たな問題点が発生してしまう。しかも、監視装置が駅務機器を監視するために用いられるときは、接客サービス向上のために拡大表示が簡単な操作で、かつ、短時間で行えるようにすることが望まれていた。
【０００８】
そこで、本発明は、上記欠点を解決するとともに、上記要望に応えるために、極めて簡単な操作で拡大表示等の画面操作を行うことのできる監視装置を提供することにある。
【課題を解決するための手段】
【０００９】
本発明に係る監視装置は、上記目的を達成するために、請求項１に記載の発明は、所定の監視領域を撮像装置で撮像し、その撮像した映像を表示画面に表示して監視する監視装置において、前記表示画面を所定時間以内に複数回タッチしたとき、又はその表示画面をポインティングデバイスで所定時間以内に複数回ポインティングしたときに、その表示画面の表示内容を拡大して表示する表示制御手段を有することを特徴としている。
【００１０】
本発明の請求項２に記載の監視装置は、撮像装置は複数個設けられるとともに、表示画面の表示はその複数個に対応して複数個に分割して行われ、タッチ又はポインティングは、その分割された表示画面に対して行われることを特徴としている。
【００１１】
本発明の請求項３に記載の監視装置は、拡大表示された表示内容は、表示画面に表示された所定の縮小釦をタッチ又は所定の縮小を選択するアイコンがポインティングされたときに元の大きさに復帰されることを特徴としている。
【００１２】
本発明の請求項４に記載の監視装置は、拡大表示された表示内容は、再度、タッチ又はポインティングされたときに元の大きさに復帰されることを特徴としている。
【００１３】
本発明の請求項５に記載の監視装置は、所定の監視領域は、自動券売機や自動改札機等の駅務機器の設置されている領域であることを特徴としている。
【発明の効果】
【００１４】
本発明の請求項１に記載の監視装置は、表示画面を所定時間以内に複数回タッチしたとき、又はその表示画面をポインティングデバイスで所定時間以内に複数回ポインティングしたときに、その表示画面の表示内容を拡大して表示する表示制御手段を有しているので、表示画面のタッチ操作又はポインティング操作だけで拡大表示させることができる特長がある。
【００１５】
本発明の請求項２に記載の監視装置は、撮像装置は複数個設けられるとともに、表示画面の表示はその複数個に対応して複数個に分割して行われ、タッチ又はポインティングは、その分割された表示画面に対して行われるので、一つの表示画面で複数の監視領域を監視することができる。
【００１６】
本発明の請求項３に記載の監視装置は、拡大表示された表示内容は、表示画面に表示された所定の縮小釦をタッチ又は所定の縮小を選択するアイコンがポインティングされたときに元の大きさに復帰されるので、表示画面を簡単に元の状態に戻すことができる。
【００１７】
本発明の請求項４に記載の監視装置は、拡大表示された表示内容は、再度、タッチ又はポインティングされたときに元の大きさに復帰されるので、表示画面をタッチ又はポインティングするだけで元の状態に簡単に戻すことができる。
【００１８】
本発明の請求項５に記載の監視装置は、所定の監視領域は、自動券売機や自動改札機等の駅務機器の設置されている領域であるので、駅務機器を効率よく監視して接客サービスの向上を図ることができる。
【発明を実施するための最良の形態】
【００１９】
以下、本発明を実施するための最良の形態を図面に基づいて説明する。図１は、本発明に係る監視装置ａを駅務機器を監視する監視装置に適用したときの概略構成図、図２（ａ），（ｂ）は、表示画面の表示例であり、同図（ａ）は拡大表示前の元の映像状態を示し、同図（ｂ）は、拡大表示状態を示している。
【００２０】
この監視装置ａは、４つの改札口、すなわち「南口」、「北口」、「東口」、「西口」の改札口を有する所定の駅に設けられ、各改札口が本発明の所定の監視領域に相当している。そして、各改札口にはそれぞれ撮像装置１，１…が設けられている。これら撮像装置１，１…は、ＣＣＤカメラを中心にそれぞれ構成されていて、そのＣＣＤカメラ（以下、カメラという。）は、ズーム機構及び上下左右移動機構を有し、後述する制御装置の指令に基づいて撮像範囲を自由に選択することができるとともに、カメラのズーム機構により映像を拡大しまた縮小できるように構成されている。また、これら撮像装置１，１…は、カメラで撮像した画像データをデジタル化する回路をそれぞれ有し、通信ラインＬを介して撮像ドライバ２を経由して制御装置３に接続されている。
【００２１】
制御装置３は、ＣＰＵを中心に形成されていて、上記各撮像装置１，１…からの撮像データ（画像データ）を取込むことができるように構成されているとともに、各撮像装置１，１…のカメラをそれぞれ駆動制御ができるように構成されている。そして、この制御装置３には、タッチパネルからなる表示画面Ｄ（図２参照）を備えた表示装置４が接続されていて、この表示装置４は、制御装置３の入力手段，表示手段を構成している。また、この制御装置３には、図示しないメモリに、各撮像装置１，１…がそれぞれ撮像した映像を表示画面Ｄ中に同時に表示し（図２（ａ）参照）、また、各撮像装置１，１…が撮像下映像のうちの一つのみを表示画面Ｄ中に拡大表示する（図２（ｂ）参照）ためのソフトウエア（プログラムデータ）が格納されている。
【００２２】
以下、図３のフローチャートを用いて制御動作について説明する。今、監視装置ａが駆動されていていて、各改札口に設置されている撮像装置１，１…から制御装置３に撮像データが取込まれている。この取込まれた撮像データは、表示画面Ｄを分割して、すなわち表示画面Ｄを５個に分割して得られた分割画面Ｄ0 〜Ｄ4 のうちの４個の分割画面Ｄ1 〜Ｄ4 中にそれぞれ分けて映し出されている（図２（ａ）参照）。各分割画面Ｄ1 〜Ｄ4 にそれぞれ映し出される映像の大きさは、各撮像装置１，１…の監視領域全体をカバーできるように決められている。なお、表示画面Ｄ中の分割画面Ｄ0 はカーソルエリアであり、撮像装置１のカメラの移動を操作し、また、拡大表示された画面（図２（ｂ）に示される画面Ｄ2 ′）を元の画面（図２（ａ）に示される画面）に戻すときに利用される。
【００２３】
表示画面Ｄに各撮像装置１，１…からの映像が分割して全部映し出されている状態において、北口の改札口において異常事態が発生し、その詳細を拡大して見る必要が生じたとする。この場合、分割画面Ｄ2 の部分が係員（係員の指）によってタッチされる（ステップ１００肯定。以下、ステップを「Ｓ」とする。）。このタッチされた中心位置座標（Ｘ1 ，Ｙ2 ）が記憶されるとともに（Ｓ１０２）、このタッチされた時刻ｔ1 が制御装置３のメモリに記憶される。そして、この時刻ｔ1 から所定時間（例えば１秒間）以内に同じ位置がタッチ（このタッチの中心位置座標を（Ｘ2 ，Ｙ2 ）及びタッチ時刻をｔ2 とする。）されると（Ｓ１０４否定、Ｓ１０６肯定）、分割画面Ｄ2 の映像が分割画面Ｄ1 〜Ｄ4 を一つとした画面Ｄ2 ′に拡大して表示される（Ｓ１０８。図２（ｂ）参照）。すなわち、北口の改札口に設置されている撮像装置１のカメラのズーム機構が働いて拡大された映像が画面Ｄ2 ′に表示される。
【００２４】
係員は、必要に応じてカーソルエリアの分割画面Ｄ2 に表示されている映像を見ながらカメラの移動を指示するアイコンＡ1 を操作してカメラを移動させて目的とする監視対象に合わせて監視を行うことができる。なお、上述の２度目のタッチは、通常、ほぼ同じ位置がタッチされて拡大表示する画面が特定されるが、タッチ位置が多少ずれてもよいように、拡大表示する画面の特定は、２つのタッチ位置の中間、すなわち（（Ｘ1 ＋Ｘ2 ）／２，（Ｙ1 ＋Ｙ2 ）／２）を中心座標として行われる。また、拡大表示させる２回目のタッチの許容時間、つまり（ｔ2 −ｔ1 ）は任意に決めることが可能であるが、通常、１秒間程度で十分である。さらに、この例では、タッチを２回行うことにより拡大表示させたが、不用意に拡大表示されるのを防止するために、タッチは、所定時間以内に３回、またはそれ以上とすることもできる。
【００２５】
拡大表示された画面（図２（ｂ）参照）は、カーソルエリアの分割画面Ｄ0 に表示されている「縮小」のアイコンがタッチされると（Ｓ１１０肯定）、表示画面Ｄ0 は図２（ａ）に示される元の映像画面に復帰される（Ｓ１１２）。なお、上述の例では、拡大表示及びその拡大された画面を元に復帰させる操作は、係員によるタッチ操作により行われたが、マウス（図示せず）を用いてポインターを移動させてクリックして操作するようにしてもよい。
【００２６】
図４のフローチャートは、本発明の他の制御動作を示すもので、上記図３のフローチャートのＳ１００〜Ｓ１１２は、図４のフローチャートのＳ２００〜Ｓ２１２に対応している。ここでは、一度タッチされてから所定時間以内に他の分割画面がタッチされたとき（Ｓ２０６否定、Ｓ２０７肯定）、例えば、一度目のタッチが分割画面Ｄ1 で二度目のタッチが分割画面Ｄ2 のときは、拡大表示すべき画面を特定できないので拡大表示を無効とし、一度目のタッチで得られた情報をクリアするようにしている（Ｓ２００′）。また、ここでは、「縮小」のアイコンがタッチされることなく他の分割エリアを示すアイコン（図示しないが表示画面Ｄ中のカーソルエリアの分割画面Ｄ0 中に表示されている。）をタッチして、拡大表示をその分割画面の映像に切替えることができるように構成されている（Ｓ２１０否定、Ｓ２１１肯定）。
【００２７】
図５のフローチャートは、本発明のさらに他の制御動作を示しフローチャートで、上記図４のフローチャートのＳ２００′，Ｓ２００〜２１２は、図５のＳ３００′，Ｓ３００〜３１２にそれぞれ対応している。上記図４のフローチャートと異なる点は、「縮小」のアイコンをタッチする代わりに拡大されている表示画面を再度タッチして元の画面に戻すようにしたことにある（Ｓ３１０′肯定）。この場合は、より操作が簡単になる特長がある。なお、上記図４及び図５に示される制御においても、マウスを用いた操作で行うようにしてもよい。
【図面の簡単な説明】
【００２８】
【図１】本発明の一実施の形態に係る監視装置の概略構成図である。
【図２】表示画面の表示例である。
【図３】制御動作を示すフローチャートである。
【図４】制御動作を示すフローチャートである。
【図５】制御動作を示すフローチャートである。
【符号の説明】
【００２９】
１      撮像装置
２      撮像ドライバ
３      制御装置
４      表示装置
Ｄ      表示画面
Ｄ0 〜Ｄ4       分割画面
【図１】
2005339224.tif 000003
【図２】
2005339224.tif 000004
【図３】
2005339224.tif 000005
【図４】
2005339224.tif 000006
【図５】
2005339224.tif 000007